(57)【特許請求の範囲】
【請求項１】
前面に開口を有する自動販売機本体の内壁面に配設された断熱部材で内面が形成され、前記自動販売機本体の底壁面に配設された断熱部材の上面を覆う態様で金属から成る底板部材が配置された商品収容室を備えた自動販売機において、
前記底板部材の両側部には、前記自動販売機本体の内部における商品を収納する商品収納コラムの下部に達するまで上方に伸びる金属製の側板部材を一体的に形成したことを特徴とする自動販売機。
【発明の詳細な説明】
【技術分野】
【０００１】
本発明は、例えば缶入り飲料、瓶入り飲料、紙パック入り飲料およびペットボトル入り飲料等の各種商品を冷却した状態、あるいは加温した状態で販売する自動販売機に関し、より詳細には、商品を収容するための商品収容室の構造に工夫を施した自動販売機に関する。
【背景技術】
【０００２】
近年、例えば缶入り飲料、瓶入り飲料、紙パック入り飲料およびペットボトル入り飲料等の各種商品を販売する自動販売機として、内箱が存在しないで商品を収容するための商品収容室が形成された自動販売機が知られている。
【０００３】
この種の自動販売機は、前面に開口を有する自動販売機本体の内壁面に配設された断熱部材で内面が形成され、該自動販売機本体の底壁面に配設された断熱部材の上面（内表面）を覆う態様で底板部材が配置された商品収容室を備えている（例えば、特許文献１）。
【０００４】
図１０は、この種の自動販売機における商品収容室の一例を簡略的に示した斜視図である。この図１０に示したように、商品収容室３００は、自動販売機本体１００（図１２参照）の内部において、天井部、底部、背面部および両側部がパネル状の断熱部材３１０ａ〜３１０ｅにより囲繞され、底部にある断熱部材３１０ｂの上面を覆う態様で板金から成る底板部材３２０が配置されて形成されている。この商品収容室３００は、自動販売機本体１００と同様に前面に開口を有している。商品収容室３００の前面開口は、該前面開口を覆うのに十分な大きさを有し、かつ断熱構造を有する内扉（図示せず）により開閉自在になっている。底板部材３２０は、図１１に示したように、室内で発生した水分を室外へ排出するための排水通路３６０ａ，３６０ｂ，３６０ｃを有しており、底部にある断熱部材３１０ｂを保護するための保護部材として、あるいは室内に様々な部品を取り付けるためのベース部材としての種々の機能を果たすものである。
【０００５】
そして、このような商品収容室には、図１２に示したように、例えば二つの断熱仕切板４１０，４２０で仕切ることにより、三つの商品収容庫１３０ａ，１３０ｂ，１３０ｃが並設されている。これら商品収容庫１３０ａ，１３０ｂ，１３０ｃは、いずれかを収容された商品を冷却するための商品冷却庫として、その他を収容された商品を加温するための商品加温庫として運転されるものである。
【０００６】
【特許文献１】特開２０００−１６３６３９号公報
【発明の開示】
【発明が解決しようとする課題】
【０００７】
ところが、上記自動販売機では、底板部材３２０は底部にある断熱部材３１０ｂの上面だけを覆う態様で配設されていたために、両側部にある断熱部材３１０ｄ，３１０ｅは、その表面全体がむき出した状態で配設されていた。そのため、両側部にある断熱部材３１０ｄ，３１０ｅの底部側は、商品を収納した商品収納コラムの取り付け、取り外しの際に該商品収納コラムが接触して傷ついたり、あるいは搬送される商品が接触して傷ついたりして破損することがあった。また、むき出した状態で配設された断熱部材３１０ｄ，３１０ｅの表面に静電気が帯電してしまい、それが自動販売機のその他の電装品に悪影響を及ぼすことがあった。
【０００８】
本発明は、上記実情に鑑みて、底板部材の両側に位置する断熱部材が破損すること、および帯電することを防止する自動販売機を提供することを目的とする。
【課題を解決するための手段】
【０００９】
上記目的を達成するために、本発明の請求項１に係る自動販売機は、前面に開口を有する自動販売機本体の内壁面に配設された断熱部材で内面が形成され、前記自動販売機本体の底壁面に配設された断熱部材の上面を覆う態様で金属から成る底板部材が配置された商品収容室を備えた自動販売機において、前記底板部材の両側部には、前記自動販売機本体の内部における商品を収納する商品収納コラムの下部に達するまで上方に伸びる金属製の側板部材を一体的に形成したことを特徴とする。
【発明の効果】
【００１０】
本発明の自動販売機によれば、金属から成る側板部材を、上方に伸びる態様で底板部材の両側部に一体的に形成したので、底板部材の両側に位置する断熱部材の下部を覆うことができる。そのため、側板部材が保護部材として、断熱部材が傷ついて破損すること防止することができるという効果を奏する。また、側板部材は、板金から成るものであるために導電性に優れたものであり、これにより、断熱部材が静電気等により帯電することを有効に防止することができるという効果を奏する。
【発明を実施するための最良の形態】
【００１１】
以下に添付図面を参照して、本発明に係る自動販売機の好適な実施例について詳細に説明する。尚、この実施例により本発明が限定されるものではない。
【実施例１】
【００１２】
図１および図２は、本発明の実施例１に係る自動販売機の要部を簡略的に示したものであり、図１は分解斜視図であり、図２は正面断面図である。尚、上述の図１０〜図１２と同一の構成を有するものには、同一の符号を付してその説明を省略する。これら図１および図２において、自動販売機は、自動販売機本体である本体キャビネット１０と、外扉２０と、商品収容室３０とを備えて構成してある。
【００１３】
本体キャビネット１０は、前面が開口した直方状の形態を有し、例えば板金から形成したものである。この本体キャビネット１０には、大きさの異なる二つの直方状の凹部が形成してある。これら凹部のうち、上方側の第一凹部１１は、詳細は後述するが、商品収容室３０を形成するための領域であり、下方側の第二凹部１２は、コンプレッサー等を配置するための機械室を形成するための領域である。
【００１４】
外扉２０は、本体キャビネット１０の前面開口を覆うに十分な大きさを有したもので、鋼材により堅牢に形成してある。この外扉２０は、本体キャビネット１０の前面開口を開閉可能にする態様で該本体キャビネット１０の前面の一側に支承してある。また、図には明示しないが、外扉２０の表面側には、商品見本を展示する展示室と、展示した商品を選択する選択ボタンと、硬貨を投入する硬貨投入口と、紙幣を投入する紙幣投入口と、商品を取り出すための商品取出口と、硬貨を返却する硬貨返却口とが配設してある。更に、外扉２０の裏面側には、自動販売機を制御する制御基板と、硬貨投入口から硬貨を受け入れて釣銭を硬貨返却口に放出する硬貨処理装置と、紙幣投入口から紙幣を受け入れる紙幣処理装置とが配設してある。
【００１５】
商品収容室３０は、その内部に商品を収容するためのものであり、本体キャビネット１０の内部に設けてある。より詳細に説明すると、商品収容室３０は、複数の断熱部材３１ａ〜３１ｅと、底板部材３２とを備えて構成してある。
【００１６】
複数の断熱部材３１ａ〜３１ｅは、それぞれパネル状の形状を有しており、例えばウレタン樹脂等の発泡体を基材として、この基材の表面にポリエチレンテレフタレート（ＰＥＴ）等の表面材が形成されたものである。これら複数の断熱部材３１ａ〜３１ｅは、本体キャビネット１０の第一凹部１１の内壁面のそれぞれの面方向に沿って配設されている。具体的に説明すると、断熱部材３１ａは、第一凹部１１の天井壁面１１ａの面方向に沿って配設され、断熱部材３１ｂは、第一凹部１１の底壁面１１ａの面方向に沿って配設され、断熱部材３１ｃは、第一凹部１１の背壁面１１ｃの面方向に沿って配設され、断熱部材３１ｄは、第一凹部１１の左側壁面１１ｄの面方向に沿って配設され、断熱部材３１ｅは、第一凹部１１の右側壁面１１ｅの面方向に沿って配設されている。各断熱部材間の相互接合部位は、例えばシリコーン樹脂等のシール材で接合してある。このように、商品収容室３０は、本体キャビネット１０（第一凹部１１）の内部において、第一凹部１１の形状に対応して直方状の形状を有し、天井部、底部、背面部および両側部が断熱部材３１ａ〜３１ｅにより囲繞されて内面が形成されている。
【００１７】
底板部材３２は、板金から形成されたものであり、第一凹部１１の底壁面１１ｂの面方向に沿って配設した断熱部材３１ｂの上面を覆う態様で配置してある。この底板部材３２についての説明は後述することにする。
【００１８】
このような商品収容室３０は、本体キャビネット１０（第一凹部１１）と同様に前面に開口を有している。また、図には明示していないが、本体キャビネット１０の前面部の一側には、外扉２０とは別体にした内扉が設けてある。内扉は、商品収容室３０の前面開口を覆うに十分な大きさであり断熱構造を有している。
【００１９】
また、商品収容室３０は、例えば二つの断熱仕切板４１，４２で仕切ることにより、三つの商品収容庫１３ａ，１３ｂ，１３ｃが並設される。これら商品収容庫１３ａ，１３ｂ，１３ｃは、いずれかを収容された商品を冷却するための商品冷却庫として、その他を収容された商品を加温するための商品加温庫として運転するものである。本実施例１においては、左側商品収容庫１３ａおよび右側商品収容庫１３ｃを商品冷却庫として、中央商品収容庫１３ｂを商品加温庫として説明する。
【００２０】
ここで、上述した底板部材３２について説明する。図３および図４は、本発明の実施例１に係る自動販売機の商品収容室を構成する底板部材を示したものであり、図３は斜視図、図４は平面図である。これら図３および図４も用いて底板部材について説明する。底板部材３２は、商品冷却庫１３ａ，１３ｃを構成する部分３２ａ，３２ｃと、商品加温庫１３ｂを構成する部分３２ｂとを分割してそれぞれを別体にしてあり、それぞれの構成部分間に間隙３３，３４が設けてある。これら間隙３３，３４に上記断熱仕切板４１，４２を進入させて商品収容室３０を仕切ることにより、上記商品収容庫１３ａ，１３ｂ，１３ｃが形成されることになる。また、底板部材３２において、商品収容庫（商品冷却庫、商品加温庫）１３ａ，１３ｂ，１３ｃの構成部分３２ａ，３２ｂ，３２ｃには、その周囲に切り起し部３５ａ，３５ｂ，３５ｃが設けてあるとともに、商品収容庫１３ａ，１３ｂ，１３ｃの内部で発生した水分を商品収容庫１３ａ，１３ｂ，１３ｃの外部へ排出するための排水通路３６ａ，３６ｂ，３６ｃが設けてある。
【００２１】
以上のような構成の自動販売機によれば、底板部材３２が、商品冷却庫１３ａ，１３ｃを構成する部分３２ａ，３２ｃと、商品加温庫１３ｂを構成する部分３２ｂとを分割してそれぞれを別体にしてあるため、商品冷却庫１３ａ，１３ｃと商品加温庫１３ｂとの間における熱移動を確実に遮断することができる。そのため、商品冷却庫１３ａ，１３ｃでの冷却熱のロスおよび商品加温庫１３ｂでの加温熱のロスが生じる虞れがなく、商品冷却庫１３ａ，１３ｃでの冷却運転に要する電力と、商品加温庫１３ｂの加温運転に要する電力が必要最小限にすることができる。従って、自動販売機全体での消費電力量の低減を図ることができる。
【００２２】
また、底板部材３２を複数に分割することにより、該底板部材３２の運搬、加工が容易になるとともに、構成部分３２ａ，３２ｂ，３２ｃどうしの機械的寸法が一致するのであれば異なる寸法の自動販売機間でも流用することできる。
【００２３】
以上、本発明の実施例１について説明したが、本発明はこれに限定されるものではなく、種々の変更を行うことができる。本発明の自動販売機に係る底板部材は、商品冷却庫を構成する部分と、商品加温庫を構成する部分とが別体であればよい。例えば図１および図２における商品収容庫１３ａ，１３ｂが商品冷却庫であり、商品収容庫１３ｃが商品加温庫である場合には、底板部材５２は、図５および図６に示したように、商品冷却庫１３ａ，１３ｂを構成する部分５２ａ，５２ｂを一体にして、商品加温庫１３ｃを構成する部分５２ｃだけを分割して別体にすればよい。これにより、商品冷却庫１３ａ，１３ｂと商品加温庫１３ｃとの間における熱移動を確実に遮断することができる。そのため、商品冷却庫１３ａ，１３ｂでの冷却熱のロスおよび商品加温庫１３ｃでの加温熱のロスが生じる虞れがなく、商品冷却庫１３ａ，１３ｂでの冷却運転に要する電力と、商品加温庫１３ｃの加温運転に要する電力が必要最小限にすることができる。従って、自動販売機全体での消費電力量の低減を図ることができる。
【実施例２】
【００２４】
図７は、本発明の実施例２に係る自動販売機を構成する商品収容室の底板部材の一部を拡大して示した斜視図である。尚、上述の実施例１に係る自動販売機と同一の構成を有するものには、同一の符号を付してその説明を省略する。
【００２５】
本発明の実施例２に係る自動販売機においては、底板部材３２′は、上述の底板部材３２と同様に、商品冷却庫１３ａ，１３ｃを構成する部分３２ａ，３２ｃと、商品加温庫１３ｂを構成する部分３２ｂとを分割してそれぞれを別体にしてあり、それぞれの構成部分間に間隙３３，３４が設けてある。そして、各構成部分３２ａ，３２ｂ，３２ｃには、図７に示したように、その両側部に板金から成る側板部材３７ａ，３７ｂを上方に伸びる様態で一体的に形成してある。側板部材３７ａ，３７ｂは、略長方形の形状を有しており、必要に応じて配線カバー部品を取り付けるための孔部３８や、ハーネスを通すための切欠部３９が形成されている。この側板部材３７の上方向への長さは、図８に示したように、商品収容庫１３ａ，１３ｂ，１３ｃの内部にある商品収納コラム１４の下部に達するまでの大きさであり、具体的には、例えば４００ｍｍ〜５００ｍｍの大きさである。
【００２６】
以上のような構成の自動販売機によれば、底板部材３２′は、各構成部分３２ａ，３２ｂ，３２ｃのそれぞれの両側部に側板部材３７ａ，３７ｂが一体的に形成してあるので、商品収容室３０の側壁となる断熱部材３１ｄ，３１ｅの下部を覆うことができる。そのため、側板部材３７ａ，３７ｂが保護部材として、商品収納コラム１４の取り付けや取り外しの際に、該商品収納コラム１４が接触して断熱部材３１ｄ，１３ｅが傷ついて破損すること、あるいは搬送される商品が接触して傷ついて破損することを防止することができる。また、側板部材３７ａ，３７ｂは、底板部材と同じ板金から成るものであるために導電性に優れたものであり、これにより、断熱部材３１ｄ，３１ｅが静電気等により帯電することを有効に防止することができる。更に、側板部材３７ａ，３７ｂには、配線カバー部品を取り付けるための孔部３８や、ハーネスを通すための切欠部３９があるので、これらの部品を確実に取り付けることができる。
【００２７】
上記自動販売機によれば、さらに次のような効果を奏する。すなわち、側板部材３７ａ，３７ｂは、板金から成るものであるために熱伝導性にも優れたものであり、これにより、商品収容室３０の内部において、熱風等による熱を分散させ、局部的に高温になる個所が発生することを抑制することができる。また、断熱部材３１ａ〜３１ｅは、高温状態では極端に劣化が早くなるという特性を有しているが、側板部材３７ａ，３７ｂが熱を分散させて高温状態となる個所の発生を抑制するので、断熱部材３１ａ〜３１ｅの使用寿命を長くすることができる。
【００２８】
また、側板部材３７ａ，３７ｂは、板金から成るものであるためにウレタン樹脂等からなる断熱部材３１ｄ，３１ｅよりも剛性が高く、これにより、断熱部材３１ｄ，３１ｅの経時的変化の一つであるソリの発生を抑制することができる。更に、側板部材３７ａ，３７ｂにより、断熱部材３１ｄ，３１ｅの上部において発生した結露等の水分を底板部材３２′まで導くことができる。そのため、かかる水分による断熱部材３１ｄ，３１ｅの断熱性能の低下、劣化、カビの発生等を有効に防止することができる。
【００２９】
以上、本発明の実施例１について説明したが、本発明はこれに限定されるものではなく、種々の変更を行うことができる。例えば、図９に示したように、何ら分割していない底板部材６２の両側部に側板部材３７ａ，３７ｂを一体的に形成しても良い。このような構成によっても、上述の実施例２と同様の効果を奏することができる。また、上記実施例２においては、側板部材３７ａ，３７ｂの形状を長方形にしたが、これに限定されるものではなく、商品収納コラムの下部に達するまでの大きさを有した形状であれば良い。
【産業上の利用可能性】
【００３０】
以上のように、本発明に係る自動販売機は、例えば缶入り飲料、瓶入り飲料、紙パック入り飲料およびペットボトル入り飲料等の各種商品を冷却した状態、あるいは加温した状態で販売に有用である。
【図面の簡単な説明】
【００３１】
【図１】本発明の実施例１に係る自動販売機の要部を簡略的に示した分解斜視図である。
【図２】本発明の実施例１に係る自動販売機の要部を簡略的に示した正面断面図である。
【図３】本発明の実施例１に係る自動販売機の商品収容室を構成する底板部材を示した斜視図である。
【図４】本発明の実施例１に係る自動販売機の商品収容室を構成する底板部材を示した平面図である。
【図５】本発明の実施例１に係る自動販売機の商品収容室を構成する底板部材の変形例を示した斜視図である。
【図６】本発明の実施例１に係る自動販売機の商品収容室を構成する底板部材の変形例を示した平面図である。
【図７】本発明の実施例２に係る自動販売機を構成する商品収容室の底板部材の一部を拡大して示した斜視図である。
【図８】図７における底板部材を適用した状態を示した側面断面図である。
【図９】本発明の実施例２に係る自動販売機の商品収容室を構成する底板部材の変形例を示した斜視図である。
【図１０】従来の自動販売機における商品収容室の一例を簡略的に示した斜視図である。
【図１１】図１０における底板部材を示した平面図である。
【図１２】従来の自動販売機の要部を簡略的に示した正面断面図である。
【符号の説明】
【００３２】
１０    本体キャビネット
１１    第一凹部
１２    第二凹部
１３ａ，１３ｂ，１３ｃ    商品収容庫
１４    商品収納コラム
２０    外扉
３０    商品収容室
３１ａ〜３１ｅ    断熱部材
３２，３２′    底板部材
３２ａ，３２ｂ，３２ｃ    構成部材
３３，３４    間隙
３５ａ，３５ｂ，３５ｃ    切り起し部
３６ａ，３６ｂ，３６ｃ    排水通路
３７ａ，３７ｂ    側板部材
３８    孔部
３９    切欠部
４１，４２    断熱仕切板
５２，６２    底板部材
【図１】
0004605198.tif 000002
【図２】
0004605198.tif 000003
【図３】
0004605198.tif 000004
【図４】
0004605198.tif 000005
【図５】
0004605198.tif 000006
【図６】
0004605198.tif 000007
【図７】
0004605198.tif 000008
【図８】
0004605198.tif 000009
【図９】
0004605198.tif 000010
【図１０】
0004605198.tif 000011
【図１１】
0004605198.tif 000012
【図１２】
0004605198.tif 000013